(57)【要約】【課題】使用者が安全に漏電遮断器の操作レバーの操作が可能で、且つ、工事業者も安全で効率的な電源接続工事が行える給湯機を得ること。【解決手段】外郭ケース１ａと、外郭ケース１ａの一部に設けられ、外郭ケース１ａの内部と外部とを連通する窓部９５と、窓部を覆うフタ部７０と、外郭ケース１ａ内部の窓部９５に対応する位置に内蔵された漏電遮断器２０と、を有する給湯機１００において、フタ部７０は、窓部９５に対し工具を用いて着脱可能な取り付け手段にて取り付けられており、フタ部７０には、工具を用いずに開閉可能な開閉部３０を有し、フタ部７０を窓部９５から外したとき、漏電遮断器２０の端子部２２が外部から視認可能であり、フタ部７０を窓部９５に取り付けた状態で開閉部３０を開いたとき、漏電遮断器２０の端子部２２が外部から視認できず、かつ漏電遮断器２０の操作レバー２１が外部から視認できるように構成した。【選択図】  図２
2018146181.tif 000002
【特許請求の範囲】
【請求項１】
外郭ケースと、
前記外郭ケースの一部に設けられ、該外郭ケースの内部と外部とを連通する窓部と、
前記窓部を覆うフタ部と、
前記外郭ケース内部の前記窓部に対応する位置に内蔵された漏電遮断器と、
を有する給湯機において、
前記フタ部は、前記窓部に対し工具を用いて着脱可能な取り付け手段にて取り付けられており、
前記フタ部には、工具を用いずに開閉可能な開閉部を有し、
前記フタ部を前記窓部から外したとき、前記漏電遮断器の端子部が前記外部から視認可能であり、
前記フタ部を前記窓部に取り付けた状態で前記開閉部を開いたとき、前記漏電遮断器の前記端子部が前記外部から視認できず、かつ前記漏電遮断器の操作レバーが前記外部から視認できるように構成したことを特徴とする給湯機。
【請求項２】
前記開閉部と前記漏電遮断器の前記端子部との間に介在し、
前記フタ部を前記窓部から外したとき、前記漏電遮断器の端子部が前記外部から視認可能となり、
前記フタ部を前記窓部に取り付けた状態で前記開閉部を開いたとき、前記漏電遮断器の前記端子部が前記外部から視認できず、かつ前記漏電遮断器の操作レバーが前記外部から視認可能とする、
漏電遮断器カバーを備えたことを特徴とする、請求項１に記載の給湯機。
【請求項３】
前記給湯機に電力を供給するための電源線を、
前記漏電遮断器の前記端子部に直接接続するように構成したことを特徴とする、請求項１または２に記載の給湯機。
【請求項４】
前記窓部を、前記外郭ケースの上下方向で中央よりも下側に配置したことを特徴とする、請求項１から３のいずれか１つに記載の給湯機。
【請求項５】
前記フタ部の前記外郭ケース内側となる位置に、
前記窓部と当接することで、前記窓部への誤取り付けを防止する凸部を備えたことを特徴とする、請求項１から４のいずれか１つに記載の給湯機。
【請求項６】
前記漏電遮断器カバーを難燃材で構成したことを特徴とする、請求項２から５のいずれか１つに記載の給湯機。
【請求項７】
前記漏電遮断器カバーを、
前記窓部に設けられた窓枠に設けたことを特徴とする、請求項２から６のいずれか１つに記載の給湯機。
【請求項８】
前記漏電遮断器カバーを、
前記外郭ケース内部で前記漏電遮断器が取り付けられているベース側に設けたことを特徴とする、請求項２から６のいずれか１つに記載の給湯機。
【請求項９】
前記漏電遮断器カバーを、
前記フタ部に設けたことを特徴とする、請求項２から６のいずれか１つに記載の給湯機。
【発明の詳細な説明】
【技術分野】
【０００１】
本発明は、給湯機の電源操作窓部および工事用窓部に関する。
【背景技術】
【０００２】
ヒートポンプなどの加熱手段により水を加熱して得られた高温の湯を貯湯タンクに貯留し、この貯湯タンクから必要時に浴槽やシャワー、台所や洗面所の蛇口などの必要箇所に湯を供給するように構成された給湯機が広く用いられている。この従来の給湯機はその外郭ケース上に、電源操作窓部と工事用窓部の少なくとも２つの窓部を備えている。
【０００３】
従来の給湯機は安全性やメンテナンス時の電源遮断の必要性などの観点から、外部から供給される電力を給湯機へ導入または遮断する漏電遮断器を内蔵している。漏電遮断器を操作して電力を供給または遮断するための操作レバーは、給湯機の外郭ケース上に設けられた電源操作窓部を使用者が開くことで視認でき、使用者が操作可能となっている。この電源操作窓部は使用者の操作が容易となるよう、特別な工具を用いずに開閉可能な構成（例えば、指で回転操作可能な、つまみねじによって開閉可能）となっている。
【０００４】
給湯機に電力を供給する電源線は、使用者が扱う必要はなく、給湯機を設置する際に工事業者が給湯機に接続するものである。この電源線を給湯機内部の電源端子台に接続する電源接続工事を実施するにあたり、工事業者は給湯機の外郭ケース上に設けられた工事用窓部を開き、外郭ケース内の電源端子台に電源線を接続する。この工事用窓部は使用者が扱う必要がなく、逆に容易に開閉できないように、その開閉には工具が必要となるよう構成されている。例えば窓部を覆うフタがネジ止めにより固定される構成などである。また、給湯機の外郭ケース内部で電源端子台と漏電遮断器は電気的に接続されている。
【０００５】
電源操作窓部を開き、使用者が操作レバーを操作するときには、漏電遮断器の電源端子台との接続部分である端子部はカバーで覆われており、充電部である漏電遮断器の端子部に使用者は触れられない構造となっている。
【０００６】
特許文献１は、合成樹脂製外装体のヒータ取付部に箱状凹部を一体成形し、金属製遮熱板を介して電装品を配設し、密閉蓋を取り付けた構造が開示されている。また、特許文献２には、逃し弁を遠隔操作する手元操作部と漏電遮断器を操作する安全点検用操作部を同一操作パネル内に併設し、同時かつ容易に２つの操作を行うことができる構造が開示されている。
【先行技術文献】
【特許文献】
【０００７】
【特許文献１】特開昭５４−１０２６４１号公報
【特許文献２】特開２００８−２７５２８５号公報
【発明の概要】
【発明が解決しようとする課題】
【０００８】
従来の貯湯式給湯機は安全などの観点から、使用者が充電部である漏電遮断器の端子部に直接触れることの無いよう、漏電遮断器をカバーで覆い、外部からの電源線は、一旦、電源端子台に直付けし、内部配線で漏電遮断器に接続している。このため、漏電遮断器と端子台に一定の離隔距離が生じることに加え、使用者および工事業者それぞれの使用目的から、電源操作窓部と工事用窓部を個別に配設することが必要であり、各々を個別で設けるため構造が複雑となり、その分のコストも必要である。仮に、電源操作窓部と工事用窓部を１つの窓部に集約すると、使用者が漏電遮断器を操作する際に充電部に対する安全性の懸念があり、また１つの窓部の開閉を、工具を用いる手段とするかどうかの選択が必要となり、工具を用いる方法を選択すれば使用者の利便性が低下し、工具を用いない方法を選択すれば使用者が充電部に容易に触れる可能性が増えるという問題が生じる。
【０００９】
本発明は、上述のような課題を解決するためになされたもので、使用者が安全に漏電遮断器の操作レバーの操作が可能で、且つ、工事業者も安全で効率的な電源接続工事が行える給湯機を得ることを目的としている。
【課題を解決するための手段】
【００１０】
外郭ケースと、外郭ケースの一部に設けられ、外郭ケースの内部と外部とを連通する窓部と、窓部を覆うフタ部と、外郭ケース内部の窓部に対応する位置に内蔵された漏電遮断器と、を有する給湯機において、フタ部は、窓部に対し工具を用いて着脱可能な取り付け手段にて取り付けられており、フタ部には、工具を用いずに開閉可能な開閉部を有し、フタ部を窓部から外したとき、漏電遮断器の端子部が外部から視認可能であり、フタ部を窓部に取り付けた状態で開閉部を開いたとき、漏電遮断器の端子部が外部から視認できず、かつ漏電遮断器の操作レバーが外部から視認できるように構成した。
【発明の効果】
【００１１】
本発明によれば、使用者が安全に漏電遮断器の操作レバーの操作が可能で、且つ、工事業者も安全で効率的な電源接続工事が行える給湯機を得ることができる。
【図面の簡単な説明】
【００１２】
【図１】本発明の実施の形態１の給湯機を示す構成図である。
【図２】本発明の実施の形態１の給湯機の窓部の構造図（Ａ），（Ｂ）である。
【図３】本発明の実施の形態１の給湯機の窓部の構造図（Ａ），（Ｂ）である。
【図４】本発明の実施の形態１の給湯機の窓部の構造図（Ａ），（Ｂ）である。
【図５】本発明の実施の形態１の給湯機の窓部の構造図（Ａ），（Ｂ）である。
【図６】本発明の実施の形態１の給湯機の窓部の構造図（Ａ），（Ｂ）である。
【図７】本発明の実施の形態１の給湯機の工事用窓枠の斜視図（Ａ），（Ｂ）である。
【図８】本発明の実施の形態１の給湯機の漏電遮断器カバーの斜視図（Ａ），（Ｂ）            である。
【図９】本発明の実施の形態１の給湯機の漏電遮断器カバーを工事用窓枠へ取り付け            る状態図（Ａ），（Ｂ），（Ｃ）である。
【図１０】本発明の実施の形態１の給湯機の工事用窓蓋の斜視図（Ａ），（Ｂ）であ              る。
【図１１】本発明の実施の形態１の給湯機の工事用窓蓋装着時の断面図である。
【図１２】本発明の実施の形態２の給湯機の漏電遮断器カバーの斜視図（Ａ）および              組み付け図（Ｂ）である。
【図１３】本発明の実施の形態３の給湯機の漏電遮断器カバーの斜視図（Ａ）および              組み付け図（Ｂ）である。
【発明を実施するための形態】
【００１３】
以下、図面を参照して本発明の実施の形態について説明する。なお、各図において共通する要素には、同一の符号を付して、重複する説明を省略する。
【００１４】
実施の形態１．
図１は、本発明の実施の形態１の貯湯式給湯機１００の構成図である。図１において、貯湯タンクユニット１は板金等で構成された外郭ケース１ａを備えている。貯湯タンクユニット１の下部には、外部の水源に一端を接続された給水配管２を介して水が供給されており、貯湯タンクユニット１に供給された水は貯湯タンクユニット１の下部に接続されている入水配管３を介して加熱手段４へ搬送される。加熱手段４に搬送された水は加熱手段４により加熱されて湯となり、加熱手段４から貯湯タンクユニット１下部に接続された出湯配管５により、貯湯タンクユニット１に搬送され、貯湯タンクユニット１に内蔵された貯湯タンク（図示せず）に貯留される。貯留された湯は貯湯タンクユニット１の下部に接続された風呂給湯配管６を介して浴槽１１０に供給される。また、貯留された湯は貯湯タンクユニット１の下部に接続された給湯配管７を介して、シャワーや台所の蛇口などの給湯端末へ供給される。それらの一連の動作は貯湯タンクユニット１に内蔵された電力を動力源とする制御部（図示せず）により制御される。制御部が利用する電力は、外部電源９から供給される。具体的には、外部電源９に接続された電源線である電源ケーブル８を、貯湯タンクユニット１の外郭ケース１ａの下部より内部に引き込み、外郭ケース１ａの内部で、貯湯タンクユニット１の正面左下に設けた窓部９５の位置に対応する位置に設けられた漏電遮断器（後述）の電源接続端子台（後述）に接続することで、制御部に電力が供給されるようになっている。なお、本実施の形態では、給湯機の一例として貯湯式給湯機を例示したが、貯湯式に限らず一般の給湯機においても本発明の適用が可能であることは言うまでもない。
【００１５】
図２は本発明の実施の形態１における貯湯式給湯機１００の電源操作部の構造図であり、（Ａ）は貯湯タンクユニット１の外郭ケース１ａの正面左下部に配置された、窓部９５を正面から表しており、（Ｂ）は、（Ａ）の矢視で示した断面Ａ−Ａの内部構造を表している。外郭ケース１ａで窓部９５が設けられている前ケース１０には、窓部９５を構成する工事用窓枠４０、工事用窓蓋７０、工事用窓蓋取付ねじ８０、電源操作窓蓋３０、つまみねじ９０、漏電遮断器カバー５０、カバー固定ねじ６０が取り付けられている。また、窓部９５の位置に対応する貯湯タンクユニット１の内部には、漏電遮断器２０が設けられており、漏電遮断器２０は、前ケース１０側となる位置に漏電遮断器２０を操作する電源レバー２１を有する。前ケース１０には工事用窓枠４０が取り付けられており、工事用窓枠４０には、工事用窓蓋７０が工事用窓蓋取付けねじ８０により固定されている。これらにより、外郭ケース１ａの内部と外部とが仕切られている。
【００１６】
また工事用窓蓋７０上には電線操作窓蓋３０が設けられている。電源操作窓蓋３０は貯湯式給湯機１００の使用者が機体スイッチである漏電遮断器２０の電源レバー２１を入り切りする際に開閉操作する窓である。このため、通常はゴミや雨などの侵入を防ぐ目的で、つまみねじ９０により閉じられている。また、つまみねじ９０は、ドライバーなどの専用工具を使用することなく、指などを使って緩めて電源操作窓蓋３０を開閉可能である。工事用窓蓋７０は、工事用窓枠４０に工事用窓蓋取付ねじ８０により４個所固定されており、工事用窓蓋７０を取り外すには工事用窓蓋取付けねじ８０をドライバーなどの専用工具を用いて外すことが必要で、容易に開けられない構造となっている。工事用窓蓋７０を取り外した際の窓部９５に対応する位置に漏電遮断器２０が設けられており、後述する漏電遮断器２０の電源接続端子部２２に、貯湯タンクユニット１の下部から引き込んだ電源ケーブル８を接続する。なお本発明の実施の形態では、いずれも窓部９５の配置を貯湯タンクユニット１の正面左下としているが、窓部９５はこれ以外に例えば正面右下や正面中央などでもよい。上述のように電源ケーブル８を貯湯タンクユニット１の下部から引き込む都合上、電源の接続工事の作業性を考慮すれば、貯湯タンクユニット１の外郭ケース１ａの上下方向の中央から下側に配置されていれば良い。
【００１７】
次に、図３の状態を説明する。図３は、図２の状態から使用者が漏電遮断器２０の電源レバー２１を操作するために、つまみねじ９０を緩め、電源操作窓蓋３０を開いた状態を表しており、（Ａ）が使用者から見える部分を、（Ｂ）が（Ａ）の矢視で示した断面Ａ−Ａの内部構造を示している。この状態では、電源操作窓蓋３０を開いた状態で使用者が視認できる窓部９５の内部は、正面開口部以外の上面、下面、左右側面の４面とも、すべて漏電遮断器カバー（イ）５０で覆われている。（詳細な構成は後述）この漏電遮断器カバー（イ）５０は、工事用窓枠４０にカバー固定ねじ６０によって取り付けられている。この漏電遮断器カバー（イ）５０の存在によって、電源操作窓蓋３０を開いたときに使用者が窓部９５の内部で視認できる漏電遮断器２０は、正面開口部（図３（Ｂ）で示される矢印間Ｂ）のみであるため、使用者が貯湯タンクユニット１の充電部に相当する漏電遮断器２０の電源ケーブル８の接続部（電源接続端子部２２）を含むＣ部に触れる恐れはなく安全である。
【００１８】
次に図４から図６を用いて、貯湯タンクユニット１に電源ケーブル８を接続する電気工事を行う電気工事者の視点で本発明の実施の形態１を説明する。電気工事は、図１で示した外部電源９から電源ケーブル８を貯湯タンクユニット１の外郭ケース１ａ下側から引き込み、漏電遮断器２０の電源接続端子部２２に直接接続する工事である。
【００１９】
図４は窓部９５近傍の構造図であり、専用工具を使用して工事用窓蓋取付ねじ８０を外し、工事用窓蓋７０を取り外した状態を正面から表しており、（Ａ）が電気工事者から見える部分を、（Ｂ）が（Ａ）の矢視で示した断面Ａ−Ａの内部構造を示している。この状態では、漏電遮断器カバー（イ）５０の正面開口部は図（Ｂ）で示される矢印間Ｂのみで、漏電遮断器２０の下部の電源接続端子部２２が漏電遮断器カバー（イ）５０に一部遮られている。このため、正面から電源接続端子部２２の全体は直視できず、漏電遮断器カバー（イ）５０のやや下部から視認可能である。
【００２０】
図５は、図４の状態から電気工事者がカバー固定ねじ６０を外し、漏電遮断器カバー（イ）５０を最下部まで下げた状態を表しており、（Ａ）が電気工事者から見える部分を、（Ｂ）が（Ａ）の矢視で示した断面Ａ−Ａの内部構造を示している。この状態であれば、（Ｂ）で示される矢印間Ｂの開口部から電源接続端子部２２が現れるため、漏電遮断器カバー（イ）５０の開口部に工具を挿入し、電源ケーブル８の接続工事が可能となる。そして、限られた狭小開口部に工具を挿入して電源接続を行うことから、暗がりでの電気接続工事が想定される現場において、ピンポイントで電源接続端子部２２の位置を捜索できるという利点もある。
【００２１】
なお、前述の図５（Ａ）、（Ｂ）は漏電遮断器２０の電源レバー２１が下向きである「切」の状態でないと、漏電遮断器カバー（イ）５０が最下部まで下がらない状態をも示しているが、一方、図６は、万一、電気工事者が漏電遮断器２０の電源レバー２１が上向きである「入」の状態で電源接続工事をしようとした際の状態を示しており、（Ａ）が電気工事者から見える部分を、（Ｂ）が（Ａ）の矢視で示した断面Ａ−Ａの内部構造を示している。図示の通り、電源レバー２１が上に上がっている状態であるため、（Ｂ）の矢印間Ｂで示される開口部の上面が、電源レバー２１に引っ掛かり、漏電遮断器カバー（イ）５０が本来の電源接続工事時の位置（図５の位置）よりも上になってしまい、その結果、開口部から電源接続端子部２２が目視できず、電源の接続工事が不可となる。ゆえに、必ず電源レバー２１が下に下がっている「切」の状態でないと、電源接続工事ができないため、電気工事者の安全にも配慮できる。
【００２２】
次に、窓部９５を構成する部材の機能に基づく特徴を図示にて説明する。まず、図７は、本発明の実施の形態１の工事用窓枠４０の斜視図であり、（Ａ）は正面側を（Ｂ）は背面側を表している。その形状は、中央を開口部とした額縁形状のフレ−ム４０ａの左右の縁に窓枠固定用穴４０ｂを、４隅に窓蓋取付用穴４０ｃを備えている。開口部上部中央から鉛直方向に開口部中央に向かってカバーガイド（左）４０ｄが走り、その下部はガイド自体の強度を担保するため、さらに水平方向にフレ−ム４０ａ左縁に突き当たるまで延びている。また開口部の右上部に前述のカバーガイド（左）４０ｄと略対称形状のカバーガイド（右）４０ｅが付設され、これらのカバーガイド上を後述の漏電遮断器カバー（イ）５０の左部ツバ５０ｄおよび右部ツバ５０ｅを鉛直方向に滑らせることで本発明の実施の形態１で説明した内容を可能とする。そして、カバーガイド（左）４０ｄとカバーガイド（右）４０ｅ間の最上部にはカバーガイド（上）４０ｆが付設されており、その中央部にカバー固定用穴４０ｊを設け、漏電遮断器カバー（イ）５０を固定するためのカバー固定ねじ６０を挿入する穴に用いている。また、カバーガイド（左）４０ｄおよびカバーガイド（右）４０ｅの背面側には、漏電遮断器カバー（イ）５０を摺動させる際の脱落防止のためのツメとして、上部ストッパー４０ｇ、中央部ストッパー４０ｈ、下部ストッパー４０ｉを備えている。なお、該工事用窓枠４０の材質は、難燃性の樹脂材料を好適に用いることができる。
【００２３】
図８は、本発明の実施の形態１の漏電遮断器カバー（イ）５０の斜視図であり、（Ａ）は正面側を（Ｂ）は背面側を表している。その形状は、漏電遮断器カバー（イ）５０の表面を覆う中央に開口部５０ｂを備えたカバー面５０ａを基準面とし、該面を底面として各４辺を鉛直方向に立ち上げて箱型形状を形成し、さらに上縁部の各４辺に上部ツバ５０ｃ、左部ツバ５０ｄ、右部ツバ５０ｅ、下部ツバ５０ｇを付設しており、左部ツバ５０ｄと右部ツバ５０ｅの中央部には前述の工事用窓枠４０に装着する際に中央部ストッパー４０ｈの突起を回避するため、夫々切欠き部５０ｆを設けている。また、上部ツバ５０ｃの中央部には、該漏電遮断器カバー（イ）５０を前述の工事用窓枠４０のカバー固定用穴４０ｊにねじ止めする際に必要な固定用穴５０ｈが設けられている。なお、該漏電遮断器カバー（イ）５０の材質は、万一機体内の漏電遮断器２０付近にて発火した場合でも、外部への延焼を防げるよう安全性を考慮し不燃材料または難燃性の材料を好適に用いることができる。
【００２４】
図９は本発明の実施の形態１における工事用窓枠４０に漏電遮断器カバー（イ）５０を装着する過程と装着した状態を背面側から見た図である。まず、図９（Ａ）は、工事用窓枠４０の背面側からカバーガイド（左）４０ｄとカバーガイド（右）４０ｅ上に漏電遮断器カバー（イ）５０の左部ツバ５０ｄと右部ツバ５０ｅを合致させる際に、工事用窓枠４０の中央部ストッパー４０ｈの突起と漏電遮断器カバー（イ）５０の切欠き部５０ｆの図示の左右２箇所の位置を合わせて載せる必要があることを示している。次に図９（Ｂ）は使用者が漏電遮断器２０の電源レバー２１を操作する際の漏電遮断器カバー（イ）５０の取付け状態を示しており、図９（Ａ）の状態から漏電遮断器カバー（イ）５０を最上部までスライドさせた状態で、漏電遮断器カバー（イ）５０の固定用穴５０ｈから工事用窓枠４０のカバー固定用穴４０ｊにねじ固定される。この時、漏電遮断器カバー（イ）５０の左部ツバ５０ｄと右部ツバ５０ｅは工事用窓枠４０の上部ストッパー４０ｇと中央部ストッパー４０ｈの図示４箇所で支えられた状態である。次に図９（Ｃ）は電気工事者が漏電遮断器２０の電源接続端子部２２に外部電源を直付け工事する際の漏電遮断器カバー（イ）５０の取付け状態を示しており、前述の図９（Ｂ）の状態から漏電遮断器カバー（イ）５０を固定しているカバー固定ねじ６０が外され、漏電遮断器カバー（イ）５０が工事用窓枠４０のカバーガイド（左）４０ｄとカバーガイド（右）４０ｅ間を滑り落ち最下部の下部ストッパー４０ｉに納まった状態である。この時、漏電遮断器カバー（イ）５０の左部ツバ５０ｄと右部ツバ５０ｅは工事用窓枠４０の中央部ストッパー４０ｈと下部ストッパー４０ｉの図示４箇所で支えられた状態である。
【００２５】
図１０は本発明の実施の形態１の工事用窓蓋７０の斜視図であり、（Ａ）は正面側を（Ｂ）は背面側を表している。その形状は、平板上の蓋面７０ａの４隅に固定用穴７０ｂを備えており、右上部には電源操作窓部７０ｃの開口部を設けている。電源操作窓部７０ｃの背面側には工事用窓蓋７０を取り付けた際に工事用窓枠４０に組み付けされた漏電遮断器カバー（イ）５０の箱型形状の内側に沿うように付設された電源窓ガイド７０ｄが立ち上げられている。なお、工事用窓蓋７０の材質は、難燃性の樹脂材料を好適に用いることができる。
【００２６】
図１１は本発明の実施の形態１で示された、貯湯式給湯機１００の電気工事用窓部の電源操作窓部を含む箇所で、図５（Ａ）の矢視で示した断面Ｃ−Ｃの断面図である。同図は、漏電遮断器カバー（イ）５０を固定しているカバー固定ねじ６０が外され、漏電遮断器カバー（イ）５０は最下部の位置にある状態での断面を示している。この状態で、もし仮に、漏電遮断器カバー（イ）５０が通常の使用者が操作する際の位置である最上部に戻されていない状態で、工事用窓蓋７０を取り付けようとした場合、図１１のＡ部に示した箇所において、工事用窓蓋７０の電源窓ガイド７０ｄが漏電遮断器カバー（イ）５０の上部ツバ５０ｃに干渉してしまい、本来は工事用窓蓋７０が工事用窓枠４０に密着し合致するべき所、図１１のＢ部に示した隙間が生じ、工事用窓蓋取付ねじ８０が締められない状態になってしまう。これにより誤組み付けが回避できる。
【００２７】
また、前述のとおり、漏電遮断器カバー（イ）５０は工事用窓枠４０が付いた状態の前ケース１０ごと貯湯タンクユニット１から外すか又は、工事用窓枠４０ごと前ケース１０から外すかのいずれかでないと着脱不可であるため、漏電遮断器カバー（イ）５０が電気工事者に外される事は考えにくい。また、漏電遮断器カバー（イ）５０が最下部に下がった状態、すなわち、充電部である漏電遮断器２０の電源端子接続部２２に触れる事が可能な状態においては、工事用窓蓋７０の取り付けが不可である。以上のことから、使用者が漏電遮断器２０の充電部等に触れる恐れを回避できる。
【００２８】
実施の形態２．
本発明の実施の形態２について、図とともに説明する。なお、前述の実施の形態１と同一部分または相当部分は同一符号を付し共通する説明を省略する。給湯機１００の構成等は、実施の形態１と同一である。ここでは実施の形態２の特有の内容である漏電遮断器カバー（ロ）の構成について、図１２により説明する。
【００２９】
図１２において、本実施の形態２では、漏電遮断器カバー（ロ）５１を、貯湯タンクユニット１に内蔵の漏電遮断器２０を固定している電源ベース１５に装着するように構成している。図１２（Ａ）は、漏電遮断器カバー（ロ）５１の斜視図であり、その形状は、漏電遮断器２０の表面を覆う、中央に開口部５１ｂを備えた、カバー面５１ａを上面として、その４辺夫々から上面カバー５１ｃ、下面カバー５１ｆ、左面カバー５１ｄ、右面カバー５１ｅを鉛直方向に形成し、さらに左面カバー５１ｄは、電源ベース１５に係止する際の係止部５１ｇを有し、右面カバー５１ｅには、電源ベース１５にねじ等で係止するための取付面５１ｈおよび固定用穴５１ｉが付設されたものである。なお、該漏電遮断器カバー（ロ）５１の材質は、万一漏電遮断器２０付近にて発火した場合でも、外部への延焼を防げるよう安全性を考慮し不燃材料または難燃性の材料を好適に用いることができる。このように構成することで、漏電遮断器カバー（ロ）５１が、前ケース１０側に対して独立しているので、給湯機１００のメンテナンスの際などに前ケース１０を取り外す必要が生じても、漏電遮断器カバー（ロ）５１の開口部５１ｂによって漏電遮断器２０の電源レバー２１を誤って操作してしまうことや、漏電遮断器２０と干渉して前ケース１０の着脱が困難になるというようなことがないという効果を奏する。
【００３０】
実施の形態３．
次に本発明の実施の形態３について、図とともに説明する。なお、前述の実施の形態１、２と同一部分または相当部分は同一符号を付し共通する説明を省略する。給湯機１００の構成等は、実施の形態１、２と同一である。ここでは実施の形態３の特有の内容である漏電遮断器カバー（ハ）の構成について、図１３により説明する。
【００３１】
図１３において、本実施の形態３では、漏電遮断器カバー（ハ）５２を、工事用窓蓋７０の裏面側に装着するように構成している。図１３（Ａ）は、漏電遮断器カバー（ハ）５２の斜視図であり、その形状は、漏電遮断器２０の表面を覆う、中央に開口部５２ｂを備えた、カバー面５２ａを基準面とし、該面を底面として各４辺を鉛直方向に立ち上げて箱型形状を形成し、さらに上縁部の各４辺に上部ツバ５２ｃ、左部ツバ５２ｄ、右部ツバ５２ｅ、下部ツバ５２ｆを付設しており、左部ツバ５２ｄの中央部に工事用窓蓋７０にねじ等により係止するための固定用穴５２ｇを設けるようになっている。なお、該漏電遮断器カバー（ハ）５２の材質は、万一機体内の漏電遮断器２０付近にて発火した場合でも、外部への延焼を防げるよう安全性を考慮し不燃材料または難燃性の材料を好適に用いることができる。
【００３２】
図１３（Ｂ）は、前述の漏電遮断器カバー（ハ）５２を工事用窓蓋７０にねじ等により係止した状態を表した背面側からの斜視図である。このように、工事用窓蓋７０の裏側から漏電遮断器カバー（ハ）が固定されているため、工事用窓蓋７０を開くことができない使用者は、漏電遮断器カバー（ハ）５２を外すことが不可能であり、充電部に触れる恐れはなく安全である。また、電気工事者においては、漏電遮断器カバー（ハ）５２が工事用窓蓋７０と一体になっているため、工事用窓蓋７０をドライバーなどの専用工具を使用して外すだけで、電源接続部が視認でき、電源接続工事を行うことが可能である。加えて、漏電遮断器カバー（ハ）については、取り外しを行う必要がなく、必然的に取り付け忘れも防止できるという効果を奏する。
【００３３】
以上、本発明によれば、使用者または電気工事者に、安全な電源レバーの操作および安全で且つ効率的な電源接続工事を行うことを可能とした給湯機を得ることができる。
【符号の説明】
【００３４】
１  貯湯タンク、１ａ  外郭ケース、２  給水配管、３  入水配管、４  加熱手段、
５  出湯配管、６  風呂給湯配管、７  給湯配管、８  電源ケーブル、９  外部電源、
１０  前ケース、１５  電源ベース、２０  漏電遮断器、２１  電源レバー、
２２  電源接続端子部、３０  電源操作窓蓋、４０  工事用窓枠、４０ａ  フレーム、
４０ｂ  窓枠固定用穴 、４０ｃ  窓蓋取付用穴、４０ｄ  カバーガイド（左）、
４０ｅ  カバーガイド（右）、４０ｆ  カバーガイド（上）、４０ｇ  上部ストッパー、
４０ｈ  中央部ストッパー、４０ｉ  下部ストッパー、４０ｊ  カバー固定用穴、
５０  漏電遮断器カバー（イ）、５０ａ  カバー面、５０ｂ  開口部、
５０ｃ  上部ツバ、５０ｄ  左部ツバ、５０ｅ  右部ツバ、５０ｆ  切欠き部、
５０ｇ  下部ツバ、５０ｈ  固定用穴、５１  漏電遮断器カバー（ロ）、
５１ａ  カバー面、５１ｂ  開口部、５１ｃ  上面カバー、５１ｄ  左面カバー、
５１ｅ  右面カバー、５１ｆ  下面カバー、５１ｇ  係止部、５１ｈ  取付面、
５１ｉ  固定用穴、５２  漏電遮断器カバー（ハ）、５２ａ  カバー面、
５２ｂ  開口部、５２ｃ  上部ツバ、５２ｄ  左部ツバ、５２ｅ  右部ツバ、
５２ｆ  下部ツバ、５２ｇ  固定用穴、６０  カバー固定ねじ、７０  工事用窓蓋、
７０ａ  蓋面、７０ｂ  固定用穴、７０ｃ  電源操作窓部、７０ｄ  電源窓ガイド、
７０ｅ  つまみねじ用穴、８０  工事用窓蓋取付ねじ、９０  つまみねじ、９５  窓部、
１００  給湯機、１１０  浴槽
【図１】
2018146181.tif 000003
【図２】
2018146181.tif 000004
【図３】
2018146181.tif 000005
【図４】
2018146181.tif 000006
【図５】
2018146181.tif 000007
【図６】
2018146181.tif 000008
【図７】
2018146181.tif 000009
【図８】
2018146181.tif 000010
【図９】
2018146181.tif 000011
【図１０】
2018146181.tif 000012
【図１１】
2018146181.tif 000013
【図１２】
2018146181.tif 000014
【図１３】
2018146181.tif 000015